(57)【要約】【課題】インターレース信号の奇数ライン映像信号と偶数ライン映像信号が、同一の表示ライン上に交互に重ねて表示される表示装置において、静止画のちらつき現象を抑制する。【解決手段】奇数フィールド期間において、アナログスイッチＡsw(n)がオンしている時間は、保持容量Ｃｓに奇数ライン映像信号を書き込むのに十分な時間、言い換えればＣｓ電圧が制御目標電圧に到達するのに十分な時間に設定される。一方、次の偶数フィールド期間では、保持容量Ｃｓに偶数ライン映像信号が書き込まれる前に、アナログスイッチＡsw(n)がオフされる。言い換えれば、アナログスイッチＡsw(n)がオンしている時間は、Ｃｓ電圧が制御目標電圧に到達するのに不十分な時間に設定される。【選択図】図１
2007310221.tif 000002
【特許請求の範囲】
【請求項１】
複数の画素を備え、第１のフィールド期間に映像ソースから出力された第１の映像信号を複数の画素に書き込み、第２のフィールド期間に映像ソースから出力された第２の映像信号を複数の画素に重ねて書き込む表示装置において、
前記映像ソースと前記画素の間に接続され、前記映像ソースからの第１及び第２の映像信号を前記画素に供給する映像ラインと、
前記映像ソースと前記映像ラインとの間に接続され、前記映像ソースからの第１及び第２の映像信号を前記画素に供給するタイミングを決定するスイッチと、
前記スイッチが第１のフィールド期間中に第１の時間オンし、第２のフィールド期間中に第１の時間より短い第２の時間オンするように制御する制御回路と、を備えることを特徴とする表示装置。
【請求項２】
前記第１の時間は第１の映像信号が前記画素に書き込まれるのに十分な時間であり、前記第２の時間は第２の映像信号が前記画素に書き込まれるのに不十分な時間であることを特徴とする請求項１に記載の表示装置。
【請求項３】
前記制御回路は、第１及び第２の映像信号が動画に対応する場合には、
前記スイッチが第１及び第２のフィールド期間中に、第１及び第２の映像信号が前記画素に書き込まれるのに十分な時間オンするように制御することを特徴とする請求項１、２のいずれか１項に記載の表示装置。
【請求項４】
前記スイッチがオンする前記第１及び第２の時間は、ライン走査期間単位毎、または画素走査期間単位毎に切り替え可能であることを特徴とする請求項１、２、３のいずれか１項に記載の表示装置。
【請求項５】
前記画素は第１及び第２の映像信号を保持する保持容量と、この保持容量に保持された第１及び第２の映像信号に応じた電流を流すトランジスタと、このトランジスタに流れる電流に応じて発光する発光素子を備えることを特徴とする請求項１、２、３、４のいずれか１項に記載の表示装置。
【請求項６】
前記発光素子は有機ＥＬ素子であることを特徴とする請求項５に記載の表示装置。
【発明の詳細な説明】
【技術分野】
【０００１】
本発明は、表示装置に関し、特に、インターレース信号を映像ソースとし、奇数フィールドの奇数ライン映像信号と、偶数フィールドの偶数ライン映像信号が同一の表示ライン上に交互に重ねて表示される表示装置に関する。
【背景技術】
【０００２】
一般に、液晶表示装置や有機ＥＬ表示装置の映像ソースの一種として、解像度向上のためにＮＴＳＣ等のインターレース信号が用いられている。インターレース信号は、図５に示すように、表示画面の４８０ラインの中、２４０本の奇数ラインに対応する映像信号である奇数ライン映像信号と、２４０本の偶数ラインに対応する映像信号である偶数ライン映像信号から構成されている。図５の例では、インターレース信号は「Ｘ」という文字の静止画に対応する信号である。
【０００３】
１フレームの周波数は３０Ｈｚであり、１フレームは、６０Ｈｚの周波数で交互に切り替わる奇数フィールドと偶数フィールドから構成され、奇数フィールド期間に奇数ライン映像信号が出力され、偶数フィールド期間に偶数ライン映像信号が出力される。
【０００４】
ところで、インターレース信号を受けて表示を行う表示装置の側では、４８０ラインのインターレース信号に対応して、表示画面のライン数は通常は４８０本で構成されるが、例えばデジタルカメラの電子ビューファインダーでは、ユーザーの要求仕様から、表示画面の表示ライン数は例えば２４０本と半分に設定されている。
【０００５】
そこで、そのような表示装置においては、図５、図６に示すように、映像ソースの奇数ライン映像信号と偶数ライン映像信号を同一ライン上にフィールド周期毎に重ね書きで表示するようにしている。即ち、各ラインは複数の画素が配列されて構成され、奇数フィールド期間に奇数ライン映像信号が２４０本のラインに次々に書き込まれ、次の偶数フィールド期間に偶数ライン映像信号が２４０本のラインの画素に次々と書き込まれる。例えば、第１ラインには奇数ライン映像信号Ａと偶数ライン映像信号Ｂが重ね書きされ、第２４０ラインには奇数ライン映像信号Ｃと偶数ライン映像信号Ｄが重ね書きされる。このようにして、図５の例では表示装置に「Ｘ」という文字が表示されることになる。
【０００６】
インターレース信号を用いた表示装置については、特許文献１〜４に記載されている。
【特許文献１】特開平７−２６１７１３号公報
【特許文献２】特開平７−３０８３６号公報
【特許文献３】特開平９−２６５２７８号公報
【特許文献４】特開２００５−１０７１６７号公報
【発明の開示】
【発明が解決しようとする課題】
【０００７】
上述の表示装置では、映像ソースの奇数フィールドに対応した奇数ライン映像信号と偶数フィールドに対応した偶数ライン映像信号が同一ライン上に交互に表示される。
【０００８】
しかしながら、有機ＥＬ表示装置のように表示素子の応答速度が数μ秒と高速である表示装置において、映像ソースからの静止画を表示する場合に、奇数ライン映像信号と偶数ライン映像信号との間に大きな差があると、ちらつきとして視認され、表示映像が見辛くなるという問題があった。例えば、図５の例では、表示画面上、「Ｘ」の模様が６０Ｈｚの周波数で上下にちらついて見える。
【課題を解決するための手段】
【０００９】
本発明は上述の課題に鑑みてなされたものであり、複数の画素を備え、第１のフィールド期間に映像ソースから出力された第１の映像信号を複数の画素に書き込み、第２のフィールド期間に映像ソースから出力された第２の映像信号を複数の画素に重ねて書き込む表示装置において、前記映像ソースと前記画素の間に接続され、前記映像ソースからの第１及び第２の映像信号を前記画素に供給する映像ラインと、前記映像ソースと前記映像ラインとの間に接続され、前記映像ソースからの第１及び第２の映像信号を前記画素に供給するタイミングを決定するスイッチと、前記スイッチが第１のフィールド期間中に第１の時間オンし、第２のフィールド期間中に第１の時間より短い第２の時間オンするように制御する制御回路と、を備えることを特徴とするものである。
【００１０】
本発明の表示装置によれば、第１のフィールド期間（例えば、奇数フィールド期間）では、第１の映像信号（例えば、奇数ライン映像信号）が画素にそのまま書き込まれ、表示されるが、次の第２のフィールド期間（例えば、偶数フィールド期間）では、第２の映像信号（例えば、偶数ライン映像信号）と直前の第１の映像信号（例えば、奇数ライン映像信号）との加重平均をとった信号が画素に書き込まれ、この信号に基づいて表示が行われることになる。この結果、画素に書き込まれる第１の映像信号と第２の映像信号の差が減少するため、静止画表示時のちらつき現象が抑制される。
【発明の効果】
【００１１】
本発明の表示装置によれば、奇数フィールド期間に奇数ライン映像信号を複数の画素に書き込み、偶数フィールド期間に偶数ライン映像信号を複数の画素に重ねて書き込む表示装置において、静止画表示時のちらつき現象を抑制することが可能になる。
【発明を実施するための最良の形態】
【００１２】
本発明の適用される表示装置の一例として、有機ＥＬ表示装置について図面を参照して説明する。図１は、有機ＥＬ表示装置の回路図である。複数の画素がマトリクスに配置されているが、図１では便宜上、（ｍ−１）〜ｍ行、（ｎ−１）〜（ｎ＋１）列に対応する６個の画素だけを示している。そして、各行の画素群が１つの表示ラインに対応している。
【００１３】
画素（ｍ，ｎ）については具体的な画素回路の構成例が示されているが、他の画素も同じ画素回路を有している。画素（ｍ，ｎ）の画素回路について説明すると、Ｑ１は画素選択用ＴＦＴであり、ドレインは映像ラインＤＬｎに接続され、ゲートはゲートラインＧＬmに接続され、ソースは駆動用ＴＦＴ（Ｑ２）のゲートに接続されている。駆動用ＴＦＴ（Ｑ２）のゲートには保持容量Ｃｓの第１の端子が接続されている。保持容量Ｃｓの第２の端子には保持容量電圧ＳＣが印加されている。また、駆動用ＴＦＴ（Ｑ２）のソースは、正電源電位ＰＶｄｄを供給する電源ラインＰＶＬに接続され、そのドレインは有機ＥＬ素子ＯＬＥＤのアノードに接続されている。有機ＥＬ素子ＯＬＥＤのカソードには負電源電位ＣＶが印加されている。
【００１４】
保持容量Ｃｓの第１の端子に保持される映像信号電圧（以下、Ｃｓ電圧という）に応じて、駆動用ＴＦＴ（Ｑ２）に流れるソースドレイン電流が変化する。有機ＥＬ素子ＯＬＥＤはこのソースドレイン電流に応じた輝度で発光し、これにより表示が行われる。
【００１５】
各映像ラインＤＬｎ-1、ＤＬn、ＤＬn+1・・・と映像ソースの間にはアナログスイッチＡsw(n-1)、Ａsw(n)、Ａsw(n+1)・・・が接続されている。アナログスイッチＡsw(n-1)、Ａsw(n)、Ａsw(n+1)は、水平駆動回路ＨＤからの制御信号によりオン、オフが制御される。また、ゲートラインＧＬm-1、ＧＬm・・・には垂直駆動回路ＶＤからそれぞれ画素選択信号が供給される。
【００１６】
画素（ｍ，ｎ）に着目すると、画素選択用ＴＦＴ（Ｑ１）がオンしている期間に映像信号が更新される。つまり、ゲートラインＧＬmからの画素選択信号に応じて画素選択用ＴＦＴ（Ｑ１）がオンしている期間に、アナログスイッチＡsw(n)がオンし、映像ソースからの映像信号が映像ラインＤＬｎ、画素選択用ＴＦＴ（Ｑ１）を通して保持容量Ｃｓに保持される。
【００１７】
映像ソースはインターレース信号を供給し、インターレース信号は奇数ライン映像信号と偶数ライン映像信号から構成される。そして、奇数ライン映像信号と偶数ライン映像信号が同一の表示ライン上に交互に重ねて表示される点は、従来例と同じである。本発明の特徴とする点は、奇数フィールド期間と偶数フィールド期間において、アナログスイッチＡsw(n)がオンする時間を異ならしめることにより、画素（ｍ，ｎ）に書き込まれる奇数ライン映像信号と偶数ライン映像信号の差を減少させ、静止画表示時のちらつき現象を抑制したことである。
【００１８】
具体的な回路構成について、図１、図２を参照しながら説明する。ここでは、第ｍラインに対応する画素（ｍ，ｎ）に着目するが、同一表示ラインの他の画素についても同様である。奇数フィールド期間において、画素選択用ＴＦＴ（Ｑ１）が、１水平期間オンし、その間にアナログスイッチＡsw(n)がオンすると、画素（ｍ，ｎ）に奇数ライン映像信号が書き込まれる。
【００１９】
このとき、アナログスイッチＡsw(n)がオンしている時間は、保持容量Ｃｓに奇数ライン映像信号を書き込むのに十分な時間、言い換えればＣｓ電圧が制御目標電圧に到達するのに十分な時間に設定される。制御目標電圧は、映像ソースが制御目標としている電圧のことであり、言い換えれば、映像ソースから映像信号をアナログスイッチＡsw(n)、映像ラインＤＬｎ及び画素選択用ＴＦＴ（Ｑ１）を通して、保持容量Ｃｓに伝達する際の目標電圧である。
【００２０】
図２の例では保持容量ＣｓのＣｓ電圧が低下して制御目標電圧に安定するまでの十分な放電時間が確保されている。一方、次の偶数フィールド期間では、画素選択用ＴＦＴ（Ｑ１）が、１水平期間オンし、その間にアナログスイッチＡsw(n)がオンする点は奇数フィールド期間の動作と同じであるが、保持容量Ｃｓに偶数ライン映像信号が書き込まれる前に、アナログスイッチＡsw(n)がオフされる。言い換えれば、アナログスイッチＡsw(n)がオンしている時間は、Ｃｓ電圧が制御目標電圧に到達するのに不十分な時間に設定される。
【００２１】
この結果、奇数フィールド期間のＣｓ電圧は、奇数ライン映像信号の制御目標電圧に等しくなるが、偶数フィールド期間のＣｓ電圧は、奇数ライン映像信号の制御目標電圧と偶数ライン映像信号の制御目標電圧の加重平均となる。便宜上、「奇数ライン映像信号の制御目標電圧」のことを単に「奇数ライン映像信号」といい、「偶数ライン映像信号の制御目標電圧」のことを単に「偶数ライン映像信号」という。
【００２２】
図３は、この有機ＥＬ表示装置の機能ブロック図であり、第１ラインには、奇数フィールド期間に奇数ライン映像信号Ａが書き込まれ、偶数フィールド期間に、奇数ライン映像信号Ａと偶数ライン映像信号Ｂとが加重平均された映像信号ＫＢが重ねて書き込まれる。
【００２３】
加重平均の重みをα、βとすると、ＫＢ＝（αＡ＋βＢ）／（α＋β）である。同様に、第２４０ラインでは、奇数フィールド期間に奇数ライン映像信号Ｃが書き込まれ、偶数フィールド期間に、奇数ライン映像信号Ｃと偶数ライン映像信号Ｄとが加重平均された映像信号ＫＤが重ねて書き込まれる。ＫＤ＝（αＣ＋βＤ）／（α＋β）である。重みα、βについては個々の表示装置において最適な値が決定される。
【００２４】
これにより、同一の表示ラインの画素に書き込まれる奇数ライン映像信号と偶数ライン映像信号の差が減少するので、静止画表示時のちらつき現象が抑制される。これに対して、図４に示すように、奇数フィールド期間、偶数フィールド期間ともに、アナログスイッチＡsw(n)がＣｓ電圧が制御目標電圧に到達するのに十分な時間オンするように設定さると、同一の表示ラインの画素に書き込まれる奇数ライン映像信号Ａと偶数ライン映像信号Ｂの差が（Ａ−Ｂ）と大きくなり、動画表示の場合には問題ないが、静止画表示の場合にはちらつき現象が生じる。
【００２５】
また、本発明の実施形態において、奇数フィールドと偶数フォールドの取り扱いを逆にしても、同様にちらつき抑止効果が得られる。すなわち、偶数フィールド期間において、アナログスイッチＡsw(n)がオンしている時間は、Ｃｓ電圧が制御目標電圧に到達するのに十分な時間に設定され、次の奇数フィールド期間では、アナログスイッチＡsw(n)がオンしている時間は、Ｃｓ電圧が制御目標電圧に到達するのに不十分な時間に設定される。
【００２６】
また、本発明の実施の形態において、奇数フィールド期間、偶数フィールド期間の各フィールド期間における、アナログスイッチＡsw(n)がオンしている時間は、ライン走査期間単位毎、もしくは画素走査期間単位毎に切り替え可能とするように構成することもできる。
【００２７】
さらに、アナログスイッチＡsw(n)の切り替えをライン走査期間単位毎、もしくは画素走査期間単位毎にする際に、データの判断手段（例えばフレームメモリ等）を設けることで、奇数ライン映像信号と偶数ライン映像信号の差が小さい所定の画素領域については加重平均処理をせず、奇数ライン映像信号と偶数ライン映像信号の差が大きい所定の画素領域については加重平均処理をするように構成することができる。
【００２８】
また、図３に示すように、映像ソースのインターレース信号が動画、静止画のいずれかに対応するかを判別する静止画・動画判別回路１０を設け、その判別出力として、加重平均処理切換信号を有機ＥＬ表示装置に送り、動画表示時には加重平均処理をせず、静止画表示時には加重平均処理をするように構成することもできる。この場合、水平駆動回路ＨＤは加重平均処理切換信号を受けて、動画表示時には図４に示すように、奇数フィールド期間、偶数フィールド期間の両方において、アナログスイッチＡsw(n)がオンする時間を映像信号が画素に書き込まれるのに十分な時間オンするように制御し、静止画表示時には、上述のようにアナログスイッチＡsw(n)のオンする時間を制御する。
【図面の簡単な説明】
【００２９】
【図１】本発明の実施の形態に係る有機ＥＬ表示装置の回路図である。
【図２】本発明の実施の形態に係る有機ＥＬ表示装置の動作を説明する第１のタイミング図である。
【図３】本発明の実施の形態に係る有機ＥＬ表示装置の機能ブロック図である。
【図４】本発明の実施の形態に係る有機ＥＬ表示装置の動作を説明する第２のタイミング図である。
【図５】インターレース信号を用いた表示装置の動作を説明する図である。
【図６】インターレース信号を用いた表示装置の機能ブロック図である。
【符号の説明】
【００３０】
１０  静止画・動画判別回路        
Ａsw(n-1)，Ａsw(n)，Ａsw(n+1)      アナログスイッチ
Ｃｓ  保持容量
ＣＶ  負電源電位
ＤＬn-1，ＤＬn，ＤＬn+1    映像ライン
ＧＬm-1，ＧＬm    ゲートライン
ＨＤ  水平駆動回路      
ＯＬＥＤ  有機ＥＬ素子
ＰＶＬ  電源ライン
Ｑ１  画素選択用ＴＦＴ
Ｑ２  駆動用ＴＦＴ
ＳＣ  保持容量電位
ＶＤ  垂直駆動回路
【図１】
2007310221.tif 000003
【図２】
2007310221.tif 000004
【図３】
2007310221.tif 000005
【図４】
2007310221.tif 000006
【図５】
2007310221.tif 000007
【図６】
2007310221.tif 000008